(57)【要約】【課題】雌ネジを構成する筒体を締結部材の透孔内に容易且つ確実にセット可能なタッピングネジ取付部材及びこれを用いて被締結部材と締結部材をネジ締結するネジ締結方法を提供する。【解決手段】筒体１は、締結部材２の透孔２ａの内径Ｌ１よりわずかに小径Ｌ２を有する下壁部１ｃ１と締結部材２の透孔２ａよりもわずかに大径Ｌ３を有する上壁部１ｃ２を有している。そして上壁部１Ｃ２には、先端１ｃ３からタッピングネジ４の挿入方向Ａに延びるスリット１ｅが締結部材２の透孔２ａの厚さｔとほぼ同じ深さｄを有するように形成されている。このスリット１ｅは、その底部１ｅ１の幅Ｗ１より先端１ｅ２で拡開された幅Ｗ２を有するようにθ２の角度を有するテーパー面１ｅ３とされている。【選択図】図１
2010133536.tif 000002
【特許請求の範囲】
【請求項１】
タッピングネジがネジを切りながら螺合するための内壁部を有し、当該内壁部の内径が前記タッピングネジの挿入方向から漸次小さく形成された筒体を、締結部材に形成された透孔内に嵌入させて当該筒体と締結部材を連結したタッピングネジ取付部材において、
前記筒体の外径は、前記透孔の内径より大径とされ、当該筒体の壁部にタッピングネジの挿入方向における先端から当該挿入方向に延びるスリットを形成し、当該スリットの幅を縮小させて当該筒体を前記締結部材の透孔内に圧入させることを特徴とするタッピングネジ取付部材。
【請求項２】
請求項１記載のタッピングネジ取付部材において、
前記スリットは、前記壁部の前記挿入方向における途中まで形成されており、当該スリットの幅がスリットの底部の幅より先端部で拡開されていることを特徴とするタッピングネジ取付部材。
【請求項３】
請求項１又は２記載のタッピングネジ取付部材において、
前記筒体を前記締結部材の透孔の厚みより長く形成し、前記内壁部内にタッピングネジを前記締結部材の透孔を超えた深さ以上で螺合させた際に、前記筒体の外周部が前記締結部材の透孔の周縁で前記筒体の径方向の外側に突出変形させることを特徴とするタッピングネジ取付部材。
【請求項４】
請求項１乃至３のいずれか１項記載のタッピングネジ取付部材において、
前記内壁部は、当該内壁部の後端から先端に向けて拡開するテーパー面とされたことを特徴とするタッピングネジ取付部材。
【請求項５】
請求項１乃至４のいずれか１項記載のタッピングネジ取付部材において、前記筒部は、当該筒体を前記締結部材の透孔内に圧入したときに、前記スリットの幅を拡開させる反発力を発揮する弾性を有する材質で構成されていることを特徴とするタッピングネジ取付部材。
【請求項６】
請求項１乃至５のいずれか１項記載のタッピングネジ取付部材を用いて、前記筒体の表面上に、被締結部材のタッピングネジを挿入可能な透孔を位置合せをして被締結部材を載置し、当該被締結部材の透孔を貫通させたタッピングネジで前記筒体の内壁部内に螺合、挿入して、前記被締結部材を前記締結部材に締結することを特徴とするネジ締結方法。
【発明の詳細な説明】
【技術分野】
【０００１】
本発明は、タッピングネジを用いて被締結部材を締結部材に締結するためのタッピングネジ取付部材及びこれを用いて被締結部材を締結部材に締結するためのネジ締結方法に関する。
【背景技術】
【０００２】
従来、パーソナルコンピュータや複写器等の電子機器においては、カバー、各種ユニット等の部品の組付け個所や固定個所等の締結手段としてセルフタッピングネジを使うことが多い。この場合、締結部材の下穴部に雌ネジ部を形成し、この雌ネジ部にタッピングネジを螺合させてネジ締結をしていた（例えば、特許文献１参照）。
しかしながら、締結部材の雌ネジ部が破壊されると、ネジ締結が出来なくなるため、雌ネジ部が破壊された締結部材においては、破棄しなければならず、また、電子機器の本体構造体等を締結部材として使用する場合には、交換が容易でないため、組立の効率が悪いという不具合がある。
このような問題を解決するために、タッピングネジがネジを切りながら螺合するための内壁部が形成され、当該内壁部の一端側には他端側に比べて内径が小さい小径部が形成され、一端側を径方向外側に広げることができるように壁部にスリット状の切り込みが施された管状部材と、前記管状部材が挿嵌されることで雌ネジ側としての機能が付与される挿嵌部材と、小径部の内壁面に当接しながら管状部材の一端側を押し広げる拡径ピンとを備え、小径部の内壁面、拡径ピンの外周面のうち少なくとも一方がテーパー状に形成されたタッピングネジ取付部材が提案されている（例えば、特許文献２参照）。
【特許文献１】特開２００４−１０８４２４公報
【特許文献２】特開２００６−５７７７１公報
【発明の開示】
【発明が解決しようとする課題】
【０００３】
特許文献２記載のものでは、ネジを取付けるための管状部材のみを簡単に交換でき、耐トルク、引き抜き強度も確保できるタッピングネジ取付部材を提供することが可能となる。しかしながら、タッピングネジとの螺合前に、管状部材を締結部材の穴部に挿入する際には、比較的移動が自由な状態で穴部に挿入されるために、管状部材が穴部から容易に抜け落ち易く、管状部材を締結部材の穴部に確実にセットする手間を要するという問題がある。
本発明は、上記実情を考慮してなされたものであり、雌ネジを構成する筒体を締結部材の透孔内に容易且つ確実にセット可能なタッピングネジ取付部材及びこれを用いて被締結部材と締結部材をネジ締結するネジ締結方法を提供することを目的とする。
【課題を解決するための手段】
【０００４】
上記課題を解決するために、請求項１の発明は、タッピングネジがネジを切りながら螺合するための内壁部を有し、当該内壁部の内径が前記タッピングネジの挿入方向から漸次小さくされた筒体を締結部材に形成された透孔内に嵌入させて当該筒体と締結部材を連結したタッピングネジ取付部材において、前記筒体の外径は、前記締結部材の透孔の内径より大径とされ、当該筒体の壁部にタッピングネジの挿入方向における先端から当該挿入方向に延びるスリットを形成し、当該スリットの幅を縮小させて当該筒体を前記締結部材の透孔内に圧入させることを特徴とする。
また、請求項２の発明は、請求項１記載のタッピングネジ取付部材において、前記スリットは、前記壁部の前記挿入方向における途中まで形成されており、当該スリットの幅がスリットの底部の幅より先端部で拡開されていることを特徴とする。
また、請求項３の発明は、請求項１又は２記載のタッピングネジ取付部材において、前記筒体を前記締結部材の透孔の厚みより長く形成し、前記内壁部内にタッピングネジを前記締結部材の透孔を超えた深さ以上で螺合させた際に、前記筒体の外周部が前記締結部材の透孔の周縁で前記筒体の径方向の外側に突出変形させることを特徴とする。
また、請求項４の発明は、請求項１乃至３のいずれか１項記載のタッピングネジ取付部材において、前記内壁部は、当該内壁部の後端から先端に向けて拡開するテーパー面とされたことを特徴とする。
また、請求項５の発明は、請求項１乃至４のいずれか１項記載のタッピングネジ取付部材において、前記筒部は、当該筒体を前記締結部材の透孔内に圧入したときに、前記スリットの幅を拡開させる反発力を発揮する弾性を有する材質で構成されていることを特徴とする。
また、請求項６の発明は、請求項１乃至５のいずれか１項記載のタッピングネジ取付部材を用いて、前記筒体の表面上に、被締結部材のタッピングネジを挿入可能な透孔を位置合せをして被締結部材を載置し、当該被締結部材の透孔を貫通させたタッピングネジで前記筒体の内壁部内に螺合、挿入して、前記被締結部材を前記締結部材に締結することを特徴とするネジ締結方法としたものである。
【発明の効果】
【０００５】
本発明によれば、筒体の外径は、締結部材の透孔の内径より大径とされ、当該筒体の壁部にタッピングネジの挿入方向における先端から当該挿入方向に延びるスリットを形成し、当該スリットの幅を縮小させて当該筒体を前記締結部材の透孔内に圧入させることによって、雌ネジを構成する筒体を締結部材の透孔内に容易且つ確実にセット可能なタッピングネジ取付部材及びこれを用いて被締結部材と締結部材をネジ締結するネジ締結方法を提供することができる。
【発明を実施するための最良の形態】
【０００６】
以下、図面を参照して、本発明の実施形態を詳細に説明する。
図１は、本発明の一実施形態に係る被締結部材を締結部材に取付ける際の取付け構造を示す分解断面図である。図２は、本発明の一実施形態のタッピングネジ取付部材に使用される筒体の断面図である。図３は、本発明の一実施形態のタッピングネジ取付部材の概略構成を示す断面図である。図４は、本発明の一実施形態のタッピングネジ取付部材にタッピングネジを螺合した状態を示す断面図である。図５は、本発明の一実施形態のタッピングネジ取付部材によって被締結部材と締結部材をネジ締結した状態を示す断面図である。
本実施形態に係るタッピングネジ４による被締結部材３を締結部材２にネジ締結する場合には、図１に示すように、外周にねじ山４ａを有するタッピングネジ４とタッピングネジ４のねじ山４ａを挿通する透孔３ａを有する被締結部材３を準備する。そして、後述する円筒、角筒等の筒体１を締結部材２に形成された透孔２ａ内に圧入したタッピングネジ取付部材の、筒体１の透孔１ａ内にタッピングネジ４のねじ山４ａを螺合させて被締結部材３を締結部材２上にタッピングネジ４でネジ締結するようになっている。
筒体１は、図１に示すように、締結部材２の透孔２ａの内径Ｌ１よりわずかに小径の内径Ｌ２を有する下壁部１ｃ１と締結部材２の透孔２ａよりもわずかに大径な内径Ｌ３を有する上壁部１ｃ２を有している。そして上壁部１ｃ２には、先端１ｃ３からタッピングネジ４の挿入方向Ａに延びるスリット１ｅが締結部材２の透孔２ａの厚さｔとほぼ同じ深さｄを有するように形成されている。このスリット１ｅは、図２に示すように、その底部１ｅ１の幅Ｗ１より先端１ｅ２で拡開された幅Ｗ２を有するようにθ２の角度を有するテーパー面１ｅ３とされている。この場合、θ２は、筒対１の材質、幅Ｗ１及び深さｄによって適宜選定されるが、例えば、筒体１が真鍮で構成され、Ｗ１＝１ｍｍ、ｄ＝５ｍｍに形成されている場合には、θ２は１度〜５度が好適である。
【０００７】
又、タッピングネジ４がネジを切りながら螺合する筒体１の内壁部１ｂは、その内径を後端１ｂ１から先端１ｂ２に向かって拡開するテーパー面１ｂ３を有しており、後述するように、内壁部１ｂ内にタッピングネジ４を螺合させたときに、下壁部１ｃ１が径方向で外側に押し広げられて筒体１の上方への抜け止めを形成するようになっている。このような抜け止めを形成するには、テーパー面１ｂ３の角度θ１は、５度〜１５度が好適である。
このような筒体１を下壁部１ｃ１を締結部材２の透孔２ａ内に挿入し、透孔２ａの内径Ｌ１よりわずかに大径Ｌ２の上壁部１ｃ２の部分を上方から押圧して押し込むと、スリット１ｅの先端１ｅ２の径が底部１ｅ１の幅と等幅まで縮小されて、図３に示すように、締結部材２の表面２ｂと筒体１の上壁部１ｃ２の表面とが面一となるように締結部材２に筒体１が取り付けられる。
このように、筒体１を締結部材２の透孔２ａ内に圧入すると筒体１の弾性力及びスリット１ｅの反発力によって、筒体１が締結部材２の透孔２ａ内に確実に連結保持され、容易には透孔２ａ内から筒体１が離脱することを防止することが可能となる。従って、筒体１は、スリット１ｅの幅を拡開させる反発力を発揮する弾性を有する材質で構成されることが好ましい。例えば、銅、真鍮等の金属、ＡＢＳ（アクリロニトリルーブタジエンースチレン共重合体）樹脂、プロピレン樹脂等のプラスチック材を使用することができる。
【０００８】
次に、このようにして筒体１を締結部材２に取り付けたタッピングネジ取付部材５にタッピングネジ４を被締結部材３の透孔３ａを挿通して筒体１の内壁部１ｂ内に捻じ込む。そして、タッピングネジ４の先端４ｂが締結部材２の筒状突出部２ｃを超えて挿入されると、図４に示すように、下壁部１ｃ１の外周部１ｄがタッピングネジ４のねじ山４ａで押し広げられ、締結部材２の筒状突出部２ｃの周縁２ｃ１で屈曲されて締結部材２の透孔２ａから突出変形する。その結果、この変形部分が筒体１の透孔２ａからの抜け止めを構成して、図５に示すように、被締結部材３を締結部材２上に堅固にタッピングネジ４によってネジ締結することが可能となる。
なお、筒体１を交換する場合には、タッピングネジ４をタッピングネジ取付部材５から抜き取ると、筒体１の下壁部の変形部分がもとの形状に復元し、筒体１を下壁部１ｃ１の後端から上方に向かって押し込めば、筒体１を締結部材２の透孔２ａから抜き取ることが可能となる。このようにして、筒体１を締結部材２の透孔２ａから抜き取り、新たな筒体１を上記のようにして、再度締結部材２の透孔２ａ内に取り付ければ、締結部材２を損傷することなく、交換することが可能となる。
【図面の簡単な説明】
【０００９】
【図１】本発明による一実施形態に係る被締結部材を締結部材に取付ける際の取付け構造を示す分解断面図である。
【図２】本発明による一実施形態のタッピングネジ取付部材に使用される筒体の断面図である。
【図３】本発明による一実施形態のタッピングネジ取付部材の概略構成を示す断面図である。
【図４】本発明による一実施形態のタッピングネジ取付部材にタッピングネジを螺合した状態を示す断面図である。
【図５】本発明による一実施形態のタッピングネジ取付部材によって被締結部材と締結部材をネジ締結した状態を示す断面図である。
【符号の説明】
【００１０】
１  筒体、１ａ  透孔、１ｂ  内壁部、１ｃ  壁部、１ｃ１  下壁部、１ｃ２  上壁部、１ｄ  外周部、１ｅ  スリット、１ｅ１  底部  、１ｅ２  先端、２  締結部材、２ａ  透孔、２ｃ  筒状突出部、３  被締結部材、３ａ  透孔、４  タッピングネジ、４ａ  ねじ山、５  タッピング取付部材
【図１】
2010133536.tif 000003
【図２】
2010133536.tif 000004
【図３】
2010133536.tif 000005
【図４】
2010133536.tif 000006
【図５】
2010133536.tif 000007